【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  ビデオ・システムにおける遠隔ショッピングの方法であって、
関連する補助データを含むテレビジョン信号を受信するステップと、
前記補助データの少なくとも一部に応答して、前記テレビジョン信号に関連する製品およびサービスのうちの少なくとも一つの購入のための選択可能な購入開始アイコンを前記ビデオ・システムに表示するステップと、
前記製品またはサービスの購入を開始するために前記購入開始アイコンを選択するステップと、
前記ビデオ・システムと前記製品またはサービスの注文センタとの間にデータ接続を確立するステップと、
前記製品またはサービスの購入のための前記データ接続が確立した後、メモリに予め格納されたユーザ情報を前記注文センタに送出するステップと、
を含む、前記方法。
【請求項２】  前記ユーザと前記注文センタの仲介者の間に音声接続を確立するステップをさらに含む、請求項１に記載の方法。
【請求項３】  前記ビデオ・システムと注文センタの間にデータ接続を確立する前記ステップは、前記購入開始選択アイコンが選択されたときに、モデム、双方向ページャおよび移動電話機の中の１つを用いて実行されるものである、請求項１に記載の方法。
【請求項４】  前記補助データの少なくとも一部に応答して前記表示器に広告と共に選択可能な購入開始アイコンを表示する前記ステップは、オンスクリーン表示ユニットを用いて実行されるものである、請求項１に記載の方法。
【請求項５】  前記表示器で広告を見ることに応答して製品またはサービスの購入を開始するために購入開始アイコンを前記ユーザに選択させるステップが、前記ビデオ・システムの遠隔制御器を用いて実行される、請求項１に記載の方法。
【請求項６】  前記購入開始および前記ユーザ情報の送出のステップの期間において、前記製品またはサービスの購入のステータスを前記表示器上に表示するステップをさらに含む、請求項１に記載の方法。
【請求項７】  前記ユーザと前記注文センタの仲介者の間に前記音声接続が確立したときに、前記テレビジョンのオーディオを無音にするステップをさらに含む、請求項２に記載の方法。
【請求項８】  遠隔ショッピングを提供するよう動作可能なテレビジョンであって、
ａ）製品またはサービスの広告とそれらに関連する補助情報とを有するテレビジョン信号を受信するよう動作可能な選択器と、
ｂ）処理装置と、
ｃ）前記テレビジョン信号および前記広告を表示するよう動作可能な表示器と、
ｄ）前記補助情報に応答して且つ前記広告と共に前記広告の製品およびサービスのうち少なくとも一つの購入ための選択可能な購入開始アイコンを前記表示器上に供給するよう動作可能なオンスクリーン表示ユニットと、
ｅ）前記購入アイコンをユーザに選択させるよう動作可能な制御システムと、
ｆ）データ接続を確立し、情報をダウンロードし、音声接続を確立するよう動作可能な通信手段と、
ｇ）前記処理装置と交信するメモリと、
を具え、
前記メモリは、セットアップ・モードの期間に入力されたユーザ情報と、複数の命令とを含み、
前記命令は、前記処理装置によって実行されたときに、
１）前記ユーザが前記購入開始アイコンを選択して前記広告の前記製品またはサービスの購入取引を開始したときに、前記通信手段に、前記テレビジョンと遠隔注文位置との間にデータ接続を確立させ、
２）前記テレビジョンと注文位置の間にデータ接続が確立したときに、前記通信手段に、前記ユーザ情報をダウンロードさせ、
３）前記ユーザ情報のダウンロードが完了したときに、前記通信手段に、前記ユーザと前記注文位置の仲介者の間に音声接続を確立させるものである、
前記テレビジョン。
【請求項９】  前記音声接続がされている間に前記仲介者が応対可能であることを示すメッセージを表示するステップであって、該メッセージは前記仲介者が応対可能であるときにのみ表示される、前記ステップをさらに含む、請求項２に記載の方法。
【請求項１０】  前記補助情報がハイパーテキスト・マークアップ言語形式に従う、請求項１に記載の方法。
【請求項１１】  前記補助情報がテレビジョン信号に埋め込まれる、請求項１に記載の方法。
【請求項１２】  前記音声接続がされている間に前記仲介者が応対可能であることを示すメッセージが表示され、該メッセージが、前記仲介者が応対可能であるときにのみ表示される、請求項８に記載のテレビジョン。
【請求項１３】  前記補助情報がハイパーテキスト・マークアップ言語形式に従う、請求項８に記載のテレビジョン。
【手続補正２】
【補正対象書類名】明細書
【補正対象項目名】００１０
【補正方法】変更
【補正の内容】
【００１０】
本発明の説明は図面との関連で参照すべきである。
幾つかの図面を通して、対応する参照文字は対応する部分を示している。
なお、特許請求の範囲と実施例との対応関係を図面で使われている参照符号で示すと以下のとおりである。
１．ビデオ・システムにおける遠隔ショッピングの方法であって、
関連する補助データを含むテレビジョン信号を受信するステップ（１２２）と、
前記補助データの少なくとも一部に応答して、前記テレビジョン信号に関連する製品およびサービスのうちの少なくとも一つの購入のための選択可能な購入開始アイコンを前記ビデオ・システムに表示するステップ（１２４）と、
前記製品またはサービスの購入を開始するために前記購入開始アイコンを選択するステップ（１２６）と、
前記ビデオ・システムと前記製品またはサービスの注文センタとの間にデータ接続を確立するステップ（１３０）と、
前記製品またはサービスの購入のための前記データ接続が確立した後、メモリに予め格納されたユーザ情報を前記注文センタに送出するステップ（１３２）と、
を含む、前記方法。
２．前記ユーザと前記注文センタの仲介者の間に音声接続を確立するステップをさらに含む、請求項１に記載の方法。
３．前記ビデオ・システムと注文センタの間にデータ接続を確立する前記ステップは、前記購入開始選択アイコンが選択されたときに、モデム、双方向ページャおよび移動電話機の中の１つを用いて実行されるものである、請求項１に記載の方法。
４．前記補助データの少なくとも一部に応答して前記表示器に広告と共に選択可能な購入開始アイコンを表示する前記ステップは、オンスクリーン表示ユニットを用いて実行されるものである、請求項１に記載の方法。
５．前記表示器で広告を見ることに応答して製品またはサービスの購入を開始するために購入開始アイコンを前記ユーザに選択させるステップが、前記ビデオ・システムの遠隔制御器を用いて実行される、請求項１に記載の方法。
６．前記購入開始および前記ユーザ情報の送出のステップの期間において、前記製品またはサービスの購入のステータスを前記表示器上に表示するステップをさらに含む、請求項１に記載の方法。
７．前記ユーザと前記注文センタの仲介者の間に前記音声接続が確立したときに、前記テレビジョンのオーディオを無音にするステップをさらに含む、請求項２に記載の方法。
８．遠隔ショッピングを提供するよう動作可能なテレビジョンであって、
ａ）製品またはサービスの広告とそれらに関連する補助情報とを有するテレビジョン信号を受信するよう動作可能な選択器（４４）と、
ｂ）処理装置（４８）と、
ｃ）前記テレビジョン信号および前記広告を表示するよう動作可能な表示器（３４）と、
ｄ）前記補助情報に応答して且つ前記広告と共に前記広告の製品およびサービスのうち少なくとも一つの購入ための選択可能な購入開始アイコンを前記表示器上に供給するよう動作可能なオンスクリーン表示ユニット（４６）と、
ｅ）前記購入アイコンをユーザに選択させるよう動作可能な制御システム（４８）と、
ｆ）データ接続を確立し、情報をダウンロードし、音声接続を確立するよう動作可能な通信手段（５６、５８）と、
ｇ）前記処理装置と交信するメモリ（５２）と、
を具え、
前記メモリは、セットアップ・モードの期間に入力されたユーザ情報と、複数の命令とを含み、
前記命令は、前記処理装置によって実行されたときに、
１）前記ユーザが前記購入開始アイコンを選択して前記広告の前記製品またはサービスの購入取引を開始したときに、前記通信手段に、前記テレビジョンと遠隔注文位置との間にデータ接続を確立させ、
２）前記テレビジョンと注文位置の間にデータ接続が確立したときに、前記通信手段に、前記ユーザ情報をダウンロードさせ、
３）前記ユーザ情報のダウンロードが完了したときに、前記通信手段に、前記ユーザと前記注文位置の仲介者の間に音声接続を確立させるものである、
前記テレビジョン。
９．前記音声接続がされている間に前記仲介者が応対可能であることを示すメッセージを表示するステップであって、該メッセージは前記仲介者が応対可能であるときにのみ表示される、前記ステップをさらに含む、請求項２に記載の方法。
１０．前記補助情報がハイパーテキスト・マークアップ言語形式に従う、請求項１に記載の方法。
１１．前記補助情報がテレビジョン信号に埋め込まれる、請求項１に記載の方法。
１２．前記音声接続がされている間に前記仲介者が応対可能であることを示すメッセージが表示され、該メッセージが、前記仲介者が応対可能であるときにのみ表示される、請求項８に記載のテレビジョン。
１３．前記補助情報がハイパーテキスト・マークアップ言語形式に従う、請求項８に記載のテレビジョン。